(57)【要約】【課題】先カンの部品点数の増加によるコストアップと径大、薄型化困難。【解決手段】複数の部品を互いに連結して巻回し装着される帯状装身具であって、一方の部品の端部に設ける筒状部３と、筒状部３に挿嵌されるばね棒７とを具備し、ばね棒７は外周に突出し、且つ軸方向に移動可能な操作端子１２を有し、筒状部３は、ばね棒７の操作端子１２が操作可能に表出する切り欠け部４と、切り欠け部４に隣接する一方の舌片部を外側に折り曲げたストッパー５とを有し、筒状部３にばね棒７を挿嵌した後、ストッパー５をばね棒７の方向に折り曲げることにより、ストッパー５を操作端子１２と干渉させ、ばね棒７が筒状部３から抜け出すのを防止する。部品点数が減少し、表裏方向に薄い帯状装身具が提供できる。【選択図】      図１
2004187978.tif 000002
【特許請求の範囲】
【請求項１】
複数の部品を互いに連結して巻回し装着される帯状装身具であって、一方の部品の端部に設ける筒状部と、該筒状部に挿嵌されるばね棒とを具備し、該ばね棒は外周に突出し、且つ軸方向に移動可能な操作端子を有し、前記筒状部は、前記ばね棒の操作端子が操作可能に表出する切り欠け部と、該切り欠け部に隣接する一方の舌片部を外側に折り曲げたストッパーとを有し、前記筒状部に前記ばね棒を挿嵌した後、前記ストッパーを前記ばね棒の方向に折り曲げることにより、前記ストッパーを前記操作端子と干渉させて、前記ばね棒が前記筒状部から抜け出すのを防止することを特徴と帯状装身具。
【請求項２】
前記ストッパーを前記ばね棒の外周に圧接させることにより、前記ばね棒と前記筒状部とを固定したことを特徴とする請求項１記載の帯状装身具。
【請求項３】
前記筒状部に設けられた切り欠け部が、前記帯状装身具の裏面側に設けられていることを特徴とする請求項１記載の帯状装身具。
【請求項４】
前記筒状部がバンドの時計取り付け側の端部に設けられていることを特徴とする請求項１記載の帯状装身具。
【請求項５】
前記筒状部が複数の駒を連結してなるバンドの駒、或いは長さ調整駒に設けられていることを特徴とする請求項１または４に記載の帯状装身具。
【請求項６】
前記筒状部がバンドの中留取り付け側の端部に設けられていることを特徴とする請求項１〜３のいずれかに記載の帯状装身具。
【請求項７】
前記筒状部を折り曲げ形成してバンド取り付け部を設け、メッシュバンドやラセンバンドなどの金属線を編んだ可撓性のあるバンドの端部に、前記筒状部のバンド取り付け部を溶接または蝋付けなどの固着手段で固定したことを特徴とする請求項４または６に記載の帯状装身具。
【請求項８】
前記筒状部を折り曲げ形成してバンド取り付け孔を有するバンド取り付け部を設け、複数の駒を連結ピンで連結してなるバンドの駒の連結孔と、前記筒状部に設けたバンド取り付け部とを連結ピンで連結したことを特徴とする請求項４または６に記載の帯状装身具。
【請求項９】
前記筒状部が合成樹脂バンドやゴムバンドの端部にインサート成形によって取り付け固定されていることを特徴とする請求項４または６に記載の帯状装身具。
【請求項１０】
前記筒状部が複数の駒を連結ピンで連結してなるバンドの駒そのものに一体で形成されていることを特徴とする請求項４または５に記載の帯状装身具。
【発明の詳細な説明】
【０００１】
【発明の属する技術分野】
本発明は、複数の部品がばね棒を用いて互いに連結してなる帯状装身具に係わり、更に詳しくは部品間の着脱が容易で、且つばね棒の紛失を生じない帯状装身具に関する。
【０００２】
【従来の技術】
従来、身体の一部である腕に巻回して装着される帯状装身具として、腕時計のように、ムーブメントを収納するケース、バンド、中留などの複数の部品が連結されている。これらの構成部品を連結するのに、一般にばね棒が使用されている。しかしながら、従来、一般的に使用されているばね棒は、着脱操作の際にピンセットやドライバー等の工具を用いてばね棒を構成するピボットを本体部に没入させなければならない。このような作業は、相当な熟練を必要とし、普通の人では極めて困難な作業である。前記工具で構成部品を傷を付けたり、ばね棒を飛ばして紛失することがしばしばある。しかし、特殊な工具を使用することなく、着脱操作を容易にしたばね棒が使用されている（例えば、特許文献１参照。）。
【０００３】
図１２は、着脱操作性の良い、従来のばね棒付きバンドのエンドピース（先カン）部分の裏面展開斜視図である。図１２において、バンド３０の時計取り付け側の端部に、ばね棒挿嵌用の筒部３１を折り曲げ形成したエンドピース（先カン）３２を取り付け、該エンドピース３２の筒部３１の一半を切り欠いて切欠部３３を形成すると共に、該筒部３１内に操作端子付きのばね棒３４を挿嵌する。該ばね棒３４は、そのパイプ部に長手方向に伸びる割溝３５が形成され、該パイプ部内に弾性部材であるコイルスプリング３６が収納される。該コイルスプリング３６の一方の端にケース連結部に設けられた連結孔に嵌入する固定ピボット３７と、他方の端に前記操作端子３８付きの可動ピボット３９が脱出しないように挿嵌されている。前記エンドピース３２には、バンド取り付け部４０が形成されバンド３０に固定される。
【０００４】
前記ばね棒３４の操作端子３８を前記筒部３１の切欠部３３に操作可能に表出し、且つ筒部３１の外周に前記ばね棒３４の抜出し防止用の凹溝４１が形成されたC形筒体４２を弾嵌着させる。
【０００５】
以上述べた構成のばね棒付き連結部材において、時計ケースにバンドを取り付け及び取り外しの操作には、操作端子のスライド操作のみで、誰でも容易に行うことができる。ピンセットやドライバーなどの工具を使用することがないので、構成部品に傷を付けることはない。また、ばね棒を紛失することもない。
【０００６】
【特許文献１】
登録実用新案第３０４９０００号公報（第３〜４頁、第1図）
【０００７】
【発明が解決しようとする課題】
しかしながら、前述したばね棒付き連結部材には次のような問題点がある。即ち、構成部品の中で、Ｃ形筒体を使用するため、それだけ部品点数が多くなり、コスト高になる。また、筒部の外周にばね棒の抜け防止用のＣ形筒体を取り付けるため、連結部の外径が大きくなるため、帯状装身具の表裏方向の厚さが厚くなる等の問題があった。
【０００８】
本発明は上記従来の課題に鑑みなされたものであり、その目的は、複数の部品を互いに連結・離脱するのに、部品点数が少ない構造で、構成部品に傷を付けることなく、着脱操作が容易で、且つ表裏方向に薄い、安価な帯状装身具を提供するものである。
【０００９】
【課題を解決するための手段】
上記目的を達成するために、本発明における帯状装身具は、複数の部品を互いに連結して巻回し装着される帯状装身具であって、一方の部品の端部に設ける筒状部と、該筒状部に挿嵌されるばね棒とを具備し、該ばね棒は外周に突出し、且つ軸方向に移動可能な操作端子を有し、前記筒状部は、前記ばね棒の操作端子が操作可能に表出する切り欠け部と、該切り欠け部に隣接する一方の舌片部を外側に折り曲げたストッパーとを有し、前記筒状部に前記ばね棒を挿嵌した後、前記ストッパーを前記ばね棒の方向に折り曲げることにより、前記ストッパーを前記操作端子と干渉させて、前記ばね棒が前記筒状部から抜け出すのを防止するものである。
【００１０】
また、前記ストッパーを前記ばね棒の外周に圧接させることにより、前記ばね棒と前記筒状部とを固定したことを特徴とするものである。
【００１１】
また、前記筒状部に設けられた切り欠け部が、前記帯状装身具の裏面側に設けられていることを特徴とするものである。
【００１２】
また、前記筒状部がバンドの時計取り付け側の端部に設けられていることを特徴とするものである。
【００１３】
また、前記筒状部が複数の駒を連結してなるバンドの駒、或いは長さ調整駒に設けられていることを特徴とするものである。
【００１４】
また、前記筒状部がバンドの中留取り付け側の端部に設けられていることを特徴とするものである。
【００１５】
また、前記筒状部を折り曲げ形成してバンド取り付け部を設け、メッシュバンドやラセンバンドなどの金属線を編んだ可撓性のあるバンドの端部に、前記筒状部のバンド取り付け部を溶接または蝋付けなどの固着手段で固定したことを特徴とするものである。
【００１６】
また、前記筒状部を折り曲げ形成してバンド取り付け孔を有するバンド取り付け部を設け、複数の駒を連結ピンで連結してなるバンドの駒の連結孔と、前記筒状部に設けたバンド取り付け部とを連結ピンで連結したことを特徴とするものである。
【００１７】
また、前記筒状部が合成樹脂バンドやゴムバンドの端部にインサート成形によって取り付け固定されていることを特徴とするものである。
【００１８】
また、前記筒状部が複数の駒を連結ピンで連結してなるバンドの駒そのものに一体で形成されていることを特徴とするものである。
【００１９】
【発明の実施の形態】
以下図面に基づいて本発明における帯状装身具について説明する。図１〜図４は本発明の第１の実施の形態に係わり、図１は、バンドを裏面側から見た連結部の展開斜視図である。図２は、図１の連結部材により時計ケースとバンドとの連結前の状態を示す裏面側の斜視図である。図３は、図２の時計ケースとバンドとの連結後の連結部の断面図である。図４は、図１のバンドに固着した連結部材のストッパーをばね棒の方向に折り曲げた状態を示す連結部の断面図である。
【００２０】
図１〜図４において、１は、メッシュバンドやラセンバンドなどのように、金属線を編んだ可撓性を有するバンドで、その端部には連結部材２（先カン）がスポット溶接などの固着手段で固定されている。前記連結部材２の構成は、後述するばね棒が挿嵌される筒状部３と、該筒状部３にはばね棒の操作端子が操作可能に表出する切り欠け部４と、該切り欠け部４に隣接する一方の舌片部を外側に折り曲げたストッパー５が形成されている。また、前記筒状部３の長手方向に直交するように折り曲げたバンド取り付け部６が形成されている。上記したように、前記バンド１の端部に連結部材２を取り付けるには、前記筒状部３の切り欠け部４が、前記バンド１の裏面側に位置するように前記バンド取り付け部６を溶接などの固着手段により固定するものである。６ａはスポット溶接部である。前記スポット溶接の代わりに蝋付け等で固定しても良い。
【００２１】
次に、ばね棒の構成について説明する。ばね棒７は、筒部８に長手方向に伸びる割溝９が形成され、前記筒部８内に弾性部材であるコイルスプリング１０が収納される。該コイルスプリング１０の一方の端に固定ピボット１１、他方の端に操作端子１２付きの可動ピボット１３が脱出しないように嵌着されている。前記操作端子１２は、ばね棒７の外周から突出し、前記割溝９をガイドにして軸方向に移動可能に装着されている。
【００２２】
前記連結部材２に前記ばね棒７を装着するには、前記連結部材２の筒状部３に形成された切り欠け部４側から、前記ばね棒７を挿入（図１、矢印Ａ方向）し、操作端子１２が筒状部３の切り欠け部４から突出した状態で、図４に示すように、筒状部３に形成されたストッパー５をばね棒７側（図中、矢印Ｂ）に折り曲げることにより、ばね棒７の操作端子１２は前記ストッパー５に干渉されて、ばね棒７は連結部材２の筒状部３から抜脱することなく装着される。前記ばね棒７の操作端子１２の位置は、連結部材２の筒状部３の一方側に位置している。
【００２３】
以上述べた構成の連結部材を固着したバンドと時計ケースの連結操作について説明する。図２及び図３に示すように、時計ケース１４の連結脚１５に設けられた一方の連結孔１６に、ばね棒７の固定ピボット１１を挿入し、操作端子１２を指先で弾性部材であるコイルスプリング１０の弾性力に抗してばね棒７の軸方向に圧縮しながら前記操作端子１２と一体の可動ピボット１３を時計ケース１４の連結脚１５に設けられた他方の連結孔１６に挿入する。上記した操作により、時計ケース１４とバンド１とを容易に連結することができる。また、逆に時計ケース１４からバンド１を離脱するには、上記した手順の逆の操作を行えば良い。
【００２４】
時計ケース１４とバンド１とが連結されていない状態では、筒状部３に対してばね棒７は抜脱しないが、軸方向に沿って、図３に示すように、Ｌ１、Ｌ２の長さだけ移動（ガタ）してしまう。しかし、上記したように、両ピボット１１、１３が連結孔１６に確実に嵌合すると、ガタつくことはない。バンド１に連結部材２を固定した状態で、連結部材２の筒状部３とばね棒７とのガタを抑止するには、ばね棒７の外周面と筒状部３の内周面とが圧接するように設定すれば良い。
【００２５】
以上述べた連結部の構造において、ばね棒７はストッパー５に抑止されて連結部材２（先カン）から抜脱することはない。また、時計ケース１４とバンド１との着脱操作は、ピンセットやドライバーなどの工具を使用しないで、ばね棒を飛ばしたり、構成部品にキズをつけたりすることがなく、指先で容易に操作が可能で、誰でも極めて容易に行うことができる。また、部品点数が減少しコスト低減になると同時に筒状部３の径が大きくならないので、表裏方向が厚くなることなく、薄型化が可能である。
【００２６】
図５は、本発明の第２の実施の形態に係わり、バンドに連結部材を固定した状態の連結部の断面図である。上述した第１の実施の形態と異なるところは、連結部材２の筒状部３とばね棒７との軸方向および回転方向のガタを抑止するため、前記ストッパー５をさらに折り曲げて、ストッパー５の先端をばね棒７の外周に圧接させることによりガタつきをなくすることができる。その他の作用・効果は上記した第１の実施の形態と同様である。
【００２７】
図６及び図７は、本発明の第３の実施の形態に係わり、図６は、バンドを裏面側から見た連結部の展開斜視図である。図７は、時計ケースにバンドを取り付ける前の状態を示す斜視図である。図６において、バンド１Ａは複数の駒１７を連結ピン１８で順次連結して構成したものである。連結部材２Ａ（先カン）の筒状部３およびばね棒７の構成は、第１の実施の形態と同様である。連結部材２Ａのバンド取り付け部６Ａの形状は、第１の実施の形態で説明した連結部材に形成された板状のバンド取り付け部の代わりに、前記駒１７に形成された凹部１７ａに嵌合する幅を有し、且つ筒状に折り曲げ形成して後述する連結ピン１８が挿通されるバンド取り付け孔６ａを有するものである。
【００２８】
上記構成の連結部材２Ａとバンド１Ａとの連結は、前記連結部材２Ａに形成したバンド取り付け部６Ａを、バンド１Ａの駒１７の凹部１７ａに嵌合させた状態で、連結ピン１８を挿通して連結するものである。連結部材２Ａとバンド１Ａとの連結にスポット溶接などの作業が不要になる。図７に示すように、時計ケース１４にバンド１Ａを連結・離脱する操作および、その作用・効果は、上記した第１の実施の形態と同様である。
【００２９】
図８は、本発明の第４の実施の形態に係わる時計ケースにバンドを取り付ける前の状態を示す裏面側斜視図である。図８において、バンド１Ａの先端駒１７Ａは、ばね棒７を挿嵌するストッパー５を有する筒状部３を駒に一体に形成した、連結部一体駒である。従って、部品点数が減少し、またスポット溶接作業も不要になる。時計ケース１４にバンド１Ａを連結・離脱する操作および、その作用・効果は、上記した第１の実施の形態と同様である。
【００３０】
図９は、本発明の第５の実施の形態に係わるバンドに連結部材を取り付けた状態を示す裏面側斜視図である。図９において、バンド１Ｂは合成樹脂またはゴムバンドよりなり、その先端に連結部材２（先カン）がインサート成形で取り付けられている。連結部材２に形成されているバンド取り付け部６Ｂには所定の位置に複数固の貫通孔６ｂが配設さられていて、この貫通孔６ｂにインサート成形の際に合成樹脂やゴムが入りこみ固定力を高めている。時計ケースにバンド１Ｂを連結・離脱する操作および、その作用・効果は、上記した第１の実施の形態と同様である。
【００３１】
図１０は、本発明の第６の実施の形態に係わるバンドの駒の連結を示す裏面側斜視図である。図１０において、上記した第４の実施の形態で説明したものと同様な構成の、連結部一体駒１７Ｂを駒と駒の連結に適用したものである。駒と駒とを連結するバンドにおいて、手首の長さに腕時計のバンド周長を合わせるために、バンドから外される長さ調整駒（アジャスト駒）に連結部一体駒１７Ｂを使用しても便利である。筒状部及びばね棒などの構成およびその作用・効果は上記した第１の実施の形態と同様である。
【００３２】
図１１は、本発明の第７の実施の形態に係わる連結部材を三つ折れ中留の長さ調整孔駒の連結に使用した状態を示す斜視図である。図１１において、上記した第１の実施の形態で説明したように、バンド１の一方の端部には、ばね棒７が挿嵌され、ストッパー５を有する筒状部３を形成した連結部材２（先カン）が固着されている。バンドの他方の端部には、三つ折れ中留１９（折畳式中留）が連結されている。前記三つ折れ中留１９は、外板２０、中板２１、表カバー２２で構成されていて、該表カバー２２の対向する側壁それぞれに対向して穿設された複数個の長さ調整孔２２ａの中から所望の位置の孔を選択して、連結部材２のばね棒７と連結する。前記表カバー２２とバンド１との連結・離脱操作およびその作用・効果は、上記した第１の実施の形態と同様である。
【００３３】
【発明の効果】
以上説明したように、本発明の帯状装身具によれば、バンドの端部やバンドを構成する駒同士、或いはバンドの長さ調整駒に本発明の連結部材を装着することにより、複数の部品を互いに着脱する操作に特別な工具を使用することなく、誰でも極めて容易に行うことができる。ばね棒を紛失したり、構成部品にキズをつけることもない。特に、連結部の径が大きくならない。部品点数が減少し、安価で操作性に優れ、薄型化が可能な帯状装身具を提供することができる。
【図面の簡単な説明】
【図１】本発明の第１の実施の形態に係わるバンドを裏面側から見た連結部の展開斜視図である。
【図２】図１の連結部材により時計ケースとバンドとの連結前の状態を示す裏面側の斜視図である。
【図３】図２の時計ケースとバンドとの連結後の連結部の断面図である。
【図４】図１のバンドに固着した連結部材のストッパーをばね棒の方向に折り曲げた状態を示す連結部の断面図である。
【図５】本発明の第２の実施の形態に係わるバンドに連結部材を固定した状態の連結部の断面図である。
【図６】本発明の第３の実施の形態に係わるバンドを裏面側から見た連結部の展開斜視図である。
【図７】図６のバンドを時計ケースに取り付ける前の状態を示す斜視図である。
【図８】本発明の第４の実施の形態に係わる時計ケースにバンドを取り付ける前の状態を示す裏面側斜視図である。
【図９】本発明の第５の実施の形態に係わるバンドに連結部材を取り付けた状態を示す裏面側斜視図である。
【図１０】本発明の第６の実施の形態に係わるバンドの駒の連結を示す裏面側斜視図である。
【図１１】本発明の第７の実施の形態に係わるバンドに連結部材を取り付け三つ折れ中留の長さ調整孔駒の連結に使用した状態を示す斜視図である。
【図１２】従来のばね棒付きバンドのエンドピース（先カン）部分の裏面展開斜視図である。
【符号の説明】
１、１Ａ、１Ｂ  バンド
２、２Ａ  連結部材（先カン）
３  筒状部
４  切り欠け部
５  ストッパー
６、６Ａ、６Ｂ  バンド取り付け部
７  ばね棒
１０  弾性部材（コイルスプリング）
１２  操作端子
１４  時計ケース
１７  駒
１７Ａ  先端駒（連結部一体駒）
１７Ｂ  連結部一体駒
１８  連結ピン
１９  折畳式中留（三つ折れ中留）
２２  表カバー
【図１】
2004187978.tif 000003
【図２】
2004187978.tif 000004
【図３】
2004187978.tif 000005
【図４】
2004187978.tif 000006
【図５】
2004187978.tif 000007
【図６】
2004187978.tif 000008
【図７】
2004187978.tif 000009
【図８】
2004187978.tif 000010
【図９】
2004187978.tif 000011
【図１０】
2004187978.tif 000012
【図１１】
2004187978.tif 000013
【図１２】
2004187978.tif 000014